(57)【要約】      （修正有）【課題】歯形模型の模型切断部位が固定用プレートのプレート切断部位から剥がれたとしても、剥がれた模型切断部位をプレート切断部位に簡単に前の状態となるように固着することができる歯科模型用作業模型を提供する。【解決手段】歯形模型４が固定される固定用プレート６と、固定用プレート６に間隔をおいて植設された複数のダウエルピン９，１１と、固定用プレート６を支持するための支持領域１８を備えた支持基台１０と、を備えた歯科技工用作業模型。支持基台１０の支持領域１８には、複数のダウエルピン９，１１に対応して複数の挿入孔２１，２２が設けられている。また、固定用プレート６の一側部には、複数のダウエルピン９，１１に対応して複数の流入凹部４０が設けられ、複数の流入凹部４０には、歯形模型４を固定用プレート６に固着するときに用いる接着剤４２が流入する構成とする。【選択図】図４
2020018422.tif 000002
【特許請求の範囲】
【請求項１】
歯形模型が固定される固定用プレートと、前記固定用プレートに間隔をおいて植設された複数のダウエルピンと、前記固定用プレートを支持するための支持領域を備えた支持基台と、を備え、前記支持基台の前記支持領域には、前記固定プレート側の前記複数のダウエルピンに対応して複数の挿入孔が間隔をおいて設けられている歯科技工用作業模型であって、
前記固定用プレートの少なくとも一側部には、前記複数のダウエルピンに対応して複数の流入凹部が設けられ、前記複数の流入凹部は、前記歯形模型を前記固定用プレートに固着するときに用いる接着剤が流入するように設けられていることを特徴とする歯科技工用作業模型。
【請求項２】
前記複数の流入凹部の各々は、前記固定用プレートの前記一側端から対応するダウエルピンに向けて延びていることを特徴とする請求項１に記載の歯科技工用作業模型。
【請求項３】
前記固定用プレートの前記一側端は、歯科技工用作業を行う際に前記歯形模型を切断する切断側であることを特徴とする請求項１又は２に記載の歯科技工用作業模型。
【請求項４】
前記複数のダウエルピンは、前記支持基台の前記支持領域に間隔をおいて一列又は二列に設けられていることを特徴とする請求項１〜３のいずれかに記載の歯科技工用作業模型。
【請求項５】
前記歯形模型は全顎タイプであり、これに対応して、前記支持基台の前記支持領域は弧状に延びていることを特徴とする請求項１〜４のいずれかに記載の歯科技工用作業模型。
【請求項６】
前記歯形模型は部分タイプであり、これに対応して、前記支持基台の前記支持領域は横長に延びていることを特徴とする請求項１〜４のいずれかに記載の歯科技工用作業模型。
【発明の詳細な説明】
【技術分野】
【０００１】
本発明は、歯科治療などにおいて用いられる歯科技工用作業模型に関する。
【背景技術】
【０００２】
一般に、歯科治療などにおいて用いられる歯科技工用作業模型は、歯形模型が固定される固定用プレートと、固定用プレートに植設された複数のダウエルピンと、固定用プレートを支持するための支持基台とを備えている（例えば、特許文献１参照）。この歯科技工用作業模型では、支持基台の上面には固定用プレートを支持するための支持領域が設けられ、この支持領域には、複数のダウエルピンに対応して複数の挿入孔が間隔をおいて設けられている。
【０００３】
この歯科技工用作業模型においては、固定用プレート側の複数のダウエルピンを支持基台側の複数の挿入孔に挿入すると、固定用プレートが支持基台の支持領域に支持される。この支持状態では、複数のダウエルピンが対応する挿入孔に挿入される。そして、このように固定用プレートを装着した状態において、この固定用プレートの上面に接着剤により歯形模型が固着され、かく固着した状態にて歯形模型の所定部位が固定用プレートとともに切断され、切断された歯形模型を用いて所要の歯科技工作業（例えば、歯冠補綴物の製作など）が行われ、この歯科技工作業のときに、切断された固定プレート側のダウエルピンが支持基台側の対応する挿入孔に着脱自在に挿入される。
【先行技術文献】
【特許文献】
【０００４】
【特許文献１】特開２０１２−５５５２１号公報
【発明の概要】
【発明が解決しようとする課題】
【０００５】
従来の歯科技工用作業模型では、歯科模型を接着剤を用いて固定用プレートの上面に固着しているが、接着剤による固着が弱いと、歯科技工作業中に歯科模型が固定用プレートから剥がれやすくなる。特に、歯科模型を切断した後の模型切断部位は小さくなるために、より剥がれやすくなる。
【０００６】
歯科技工作業中にこの模型切断部位が固定用プレートのプレート切断部位から剥がれると、歯科技工作業を継続して行うことができなくなり、その作業を継続して行うためには模型切断部位をプレート切断部位に固着する必要がある。しかし、模型切断部位をプレート切断部位に所要の通りに固着する、即ち剥がれる前の状態となるように模型切断部位を接着剤を用いてプレート切断部位に正確に固着することが難しく、熟練を要する作業となる。
【０００７】
本発明の目的は、歯形模型の模型切断部位が固定用プレートのプレート切断部位から剥がれたとしても、剥がれた模型切断部位をプレート切断部位に簡単に前の状態となるように固着することができる歯科模型用作業模型を提供することである。
【課題を解決するための手段】
【０００８】
本発明の請求項１に記載の歯科技工用作業模型は、歯形模型が固定される固定用プレートと、前記固定用プレートに間隔をおいて植設された複数のダウエルピンと、前記固定用プレートを支持するための支持領域を備えた支持基台と、を備え、前記支持基台の前記支持領域には、前記固定プレート側の前記複数のダウエルピンに対応して複数の挿入孔が間隔をおいて設けられている歯科技工用作業模型であって、
前記固定用プレートの少なくとも一側部には、前記複数のダウエルピンに対応して複数の流入凹部が設けられ、前記複数の流入凹部は、前記歯形模型を前記固定用プレートに固着するときに用いる接着剤が流入するように設けられていることを特徴とする。
【０００９】
このような歯科技工用作業模型では、前記複数の流入凹部の各々を固定用プレートの一側端から対応するダウエルピンに向けて延びるように設けるのが好ましく、また複数の流入凹部を歯科技工用作業を行う際に歯形模型を切断する切断側の一側部に設けるのが好ましい。
【００１０】
この歯科技工用作業模型は、複数のダウエルピンが支持基台の支持領域に間隔をおいて一列又は二列に設けられているものに適用することができ、更に支持基台の支持領域が弧状に延びている全顎タイプのもの、また支持基台の支持領域が横長に延びている部分タイプのものにも適用することができる。
【発明の効果】
【００１１】
本発明の請求項１に記載の歯科技工用作業模型によれば、固定用プレートの少なくとも一側部には、複数のダウエルピンに対応して複数の流入凹部が設けられているので、歯形模型を接着剤を用いて固定する際に、この接着剤の一部が複数の流入凹部に流入した状態で固着される。従って、その後の歯科技工作業において歯科模型の模型切断部位が固定用プレートのプレート切断部位から剥がれたとしても、剥がれた模型切断部位とプレート切断部位とを合わせることによって、模型切断部位側の接着剤凸部とプレート切断部位の流入凹部とが嵌り合い、プレート切断部位に対して模型切断部位を元の状態に正確に位置付けることができ、このような状態で固着することによって、比較的簡単に元の状態に戻して歯科技工作業を継続することができる。
【００１２】
このような歯科技工用作業模型において、複数の流入凹部の各々を固定用プレートの一側端から対応するダウエルピンに向けて延びるように設けることにより、プレート切断部位に対する模型切断部位の相対的回動を抑え、プレート切断部位に対して模型切断部位を元の状態により正確に位置付けることができ、また複数の流入凹部を歯科技工用作業を行う際に歯形模型を切断する切断側の一側部に設けることにより、歯科模型を切断する際に、固定用プレート側の流入凹部（及びこの流入凹部に流入した接着剤凸部）を切断することがほとんどなく、歯科技工作業において歯科模型の模型切断部位が固定用プレートのプレート切断部位から剥がれたとしても、剥がれた模型切断部位とプレート切断部位とを確実に合わせて位置決めすることができる。
【図面の簡単な説明】
【００１３】
【図１】本発明に従う歯科技工用作業模型の第１の実施形態を示す斜視図。
【図２】図１の作業模型にて固定用プレートを支持基台に取り付ける前の状態を示す斜視図。
【図３】図１の作業模型の支持基台に固定用プレートを装着した状態を示す平面図。
【図４】図１におけるＩＶ−ＩＶ線による拡大断面図。
【図５】図１の作業模型を製作する前の状態を示す分解斜視図。
【図６】支持基台に装着した成型用基枠内に石膏を注入した状態を示す断面図。
【図７】本発明に従う歯科技工用作業模型の第２の実施形態における支持基台に固定用プレートを装着した状態を、一部切り欠いて示す平面図。
【図８】図７におけるＶＩＩＩ−ＶＩＩＩ線による断面図。
【図９】本発明に従う歯科技工用作業模型の第３の実施形態における支持基台に固定用プレートを装着した状態を、一部切り欠いて示す平面図。
【図１０】図９におけるＸ−Ｘ線による断面図。
【図１１】本発明に従う歯科技工用作業模型の第４の実施形態を示す斜視図。
【図１２】図１１の歯科技工用作業模型を示す断面図。
【図１３】本発明に従う歯科技工用作業模型の第５の実施形態における支持基台に固定用プレートを装着した状態を、一部切り欠いて示す平面図。
【図１４】図１３におけるＸＩＶ−ＸＩＶ線による断面図。
【図１５】本発明に従う歯科技工用作業模型の第６の実施形態における支持基台に固定用プレートを装着した状態を、一部切り欠いて示す平面図。
【発明を実施するための形態】
【００１４】
以下、添付図面を参照して、本発明に従う歯科技工用作業模型の各種実施形態について説明する。
【００１５】
〔第１の実施形態〕
まず、図１〜図６を参照して、第１の実施形態の歯科技工用作業模型について説明する。尚、この第１の実施形態では、ダウエルピンが２列に配設されたダブルピンタイプであって、全歯形の一部の歯形模型を固定する部分タイプのものに適用している。
【００１６】
図１〜図４において、図示の歯科技工用作業模型２は、部分タイプの歯形模型４が固定された固定用プレート６と、固定用プレート６に植設された一対のダウエルピン列（第１ダウエルピン列７、第２ダウエルピン列８と、固定用プレート６を支持するための支持基台１０と、を備え、第１ダウエルピン列７は、複数（この具体例では、５本）の第１ダウエルピン９から構成され、第２ダウエルピン列８は、複数（この具体例では、５本）の第２ダウエルピン１１から構成され、第１及び第２ダウエルピン列７，８の複数の第１及び第２ダウエルピン９，１１は、相互に対となって設けられる。
【００１７】
支持基台１０は支持基台本体１２を備え、この支持基台本体１２は、例えばポリエチレン樹脂やポリプロピレン樹脂などの合成樹脂から形成される。この支持基台本体１２は、横方向（図１及び図２において左下から右上の方向、図３において左右方向、図４において紙面に対して垂直な方向）に長く延びており、この横長に延びる筒状の周側壁１４と、この周側壁１４の上面を覆う横長の上壁１６とを有している。この実施形態では、上壁１６の上面（支持基台１０の上面を規定する部分）の全域は、図３及び図４から理解されるように、固定用プレート６を支持するための支持領域１８として機能する。
【００１８】
この支持基台本体１２の支持領域１８には、固定用プレート６側の第１及び第２ダウエルピン列７，８に対応して、第１及び第２挿入孔列１９，２０が設けられている。第１及び第２挿入孔列１９，２０は、その長手方向（図１及び図２において左下から右上の方向、図３において左右方向、図４において紙面に垂直な方向）に設けられており、第１挿入孔列１９は、その長手方向に沿って間隔を置いて配設された５個の第１挿入孔２１から構成され、第２挿入孔列２０は、この第１挿入孔列１９に沿って間隔をおいて設けられた５個の第２挿入孔２２から構成され、第１及び第２挿入孔列１９，２０の複数の第１及び第２挿入孔２１，２２は、相互に対となって設けられている。
【００１９】
支持基台本体１２の周側壁１４の内側に形成された内部空間２３には、一対としての第１及び第２挿入孔２１，２２に対応して上壁１６の下面から下方に延びる突出部２４が設けられ、第１及び第２挿入孔列１９，２０の第１及び第２挿入孔２１，２２は上壁１６及び突出部２４を貫通して設けられている（図４参照）。これら第１及び第２挿入孔２１，２２は、突出部２４の上端部から下端部に向けて内径が漸減するテーパ状に形成されている。尚、かかる突出部２４は、各第１挿入孔２１及び各第２挿入孔２２に対応して設けるように構成することもできる。
【００２０】
この第１の実施形態では、上壁１６の上面（即ち、支持領域１８）における切断側の側部（図１及び図２において左上側、図３において上側、図４において左側の側部）に片側係合突条２６が設けられ（この実施形態では、この切断側の側部が一側部となる）、その他側側部（図１及び図２において右下側、図３において下側、図４において右側の側部）には、他側係合突条２８が設けられている。片側係合突条２６及び他側係合突条２８は、相互に対向して配置されて支持基台本体１２の上壁１６から上方に突出している。片側係合突条２６及び他側係合突条２８は、図２及び図３に示すように、支持基台本体１２の長手方向略全長にわたって設けられ、その両端部においては、片側係合突条２６及び他側係合突条２８は存在していない。
【００２１】
この実施形態では、第１挿入孔列１９（複数の第１挿入孔２１）は、支持基台１０（支持基台本体１２）の上面の片側係合突条２６の幅方向内側に配設され、また第２挿入孔列２０（複数の第２挿入孔２２）は、この第１挿入孔列１９の幅方向内側（即ち、第１挿入孔列１９と他側係合突条２８との間）に配設され、第１及び第２挿入孔列１９，２０は、例えば、支持基台１０の上面の片側（この形態では、一側部側）、即ち支持領域１８の幅方向の中心線Ｐ１（図３及び図４参照）よりも片側（即ち、片側係合突条２６側）に配置される。尚、第１及び第２挿入孔列１９，２０の双方を支持基台１０の片側に配設する必要はなく、例えば第１挿入孔列１９を支持領域１８の幅方向片側（図３及び図４において中心Ｐ１よりも片側）に、第２挿入孔列２０を支持領域１８の幅方向他側（図３及び図４において中心線Ｐ１よりも他側）に配設するようにしてもよい。
【００２２】
このように第１及び第２挿入孔列１９，２０を支持基台１０の上面の片側（この形態では、一側部側）に配設することにより、支持基台１０（支持基台本体１２）の片側から第１挿入孔列１９（換言すると、この第１挿入孔列１９に挿入された第１ダウエルピン列８９）までのが、支持基台１０の他側から第２挿入孔列２０（換言すると、この第２挿入孔列２０に挿入された第２ダウエルピン列８）までの距離よりも小さくなり、これによって、後述する如くして歯科模型４を切断側の側部、（図１及び図２において奥側、図３において上側、図４において左側）から切断した際における第１及び第２ダウエルピン９，１１の切断、損傷を少なく抑えることができる。
【００２３】
この形態では、第１ダウエルピン列７の複数の第１ダウエルピン９の外径は、第２ダウエルピン列８の第２ダウエルピン１１の外径より大きく（このことに対応して、第１挿入孔列１９の第１挿入孔２１の内径は、第２挿入孔列２０の第２挿入孔２２の内径よりも大きくなる）、第１ダウエルピン９の基部の外径は、例えば２５〜３２ｍｍ程度に形成され、また第２ダウエルピン１１の基部の外径は、例えば１７〜２４ｍｍ程度に形成される。このように構成することに代えて、第１及び第２ダウエルピン９，１１として外径が等しいものを用いるようにしてもよく、この場合、外径が小さい（例えば、１７〜２４ｍｍ程度）のものを用いるのが好ましい。
【００２４】
この実施形態では、周側壁１４の外周面には、第１及び第２挿入孔列１９，２０の複数の第１及び第２挿入孔２１，２２の各々に対応して（換言すると、固定用プレート６の第１及び第２ダウエルピン列７，８の複数の第１及び第２ダウエルピン９．１１の各々に対応して）位置決め用突部３２が設けられている。この位置決め用突部３２は、第１及び第２挿入孔列１９，２０を挟んでそれらの両側にそれぞれ配設されている。尚、これら位置決め突部３２は、後の記載から理解されるように、必ずしも第１及び第２挿入孔列１９，２０の複数の第１及び第２挿入孔２１，２２に対応して設ける必要はない。
【００２５】
次に、固定用プレート６について説明すると、図示の固定用プレート６は石膏から形成されたプレート本体３４を備え、このプレート本体３４は、支持基台本体１２の上壁１６の形状に対応した横長の形状を有している。プレート本体３４には、支持基台本体１２の第１挿入孔列１９の各第１挿入孔２１に対応して第１ダウエルピン９が植設され、これら第１ダウエルピン９が第１ダウエルピン列７を構成する。また、このプレート本体３４には、支持基台本体１２の第２挿入孔列２０の各第２挿入孔２２に対応して第２ダウエルピン１１が植設され、これら第２ダウエルピン１１が第２ダウエルピン列９を構成する。
【００２６】
複数の第１及び第２ダウエルピン９，１１は、上述のように第１及び第２挿入孔２１，２２がテーパ状に形成されていることに対応して、その基端部から先端部に向けて外径が漸減するテーパ状に形成されている。また、固定用プレート６に埋設される第１及び第２ダウエルピン９，１１の基端部には、固定用プレート６に対する固定強度を高めるためにローレット加工が施されている。
【００２７】
また、固定用プレート６（即ち、プレート本体３４）の下面（即ち、第１及び第２ダウエルピン９，１１が突出する側の面）における片側側部には、支持基台１０側の片側係合突条２６に対応して片側係合凹条３６が設けられ、またその他側側部には、支持基台１０の他側係合突条２８に対応して他側係合凹条３８が設けられている。これら片側係合凹条３６及び他側係合凹条３８は、上方に延びるとともに固定用プレート６の長手方向に延びている。
【００２８】
この固定用プレート６（プレート本体３４）の上面には、更に、第１及び第２ダウエルピン列１９，２０の複数の第１及び第２ダウエルピン１９，２０に対応して（即ち、対となる第１及び第２ダウエルピン１９，２０に対応して）複数の流入凹部４０が設けられている。この実施形態では、固定用プレート６（プレート本体３４）の一側部としての片側側部に設けられ、その片側端から対応する第１ダウエルピン１９（第２ダウエルピン２０）の基端部に向けて直線状に延びている。これら流入凹部４０は、後の説明から理解される如く、固定用プレート６に接着剤を用いて歯形模型４を固着した際に、かかる接着剤の一部が流入凹部４０に流入して固まるようにすることが重要であり、接着剤の一部が流入するように第１ダウエルピン１９（第２２ダウエルピン２０）に向けて延びている。
【００２９】
この固定用プレート６の上面には、石膏から形成された歯形模型４（本実施形態では、部分タイプのもの）が接着剤を用いて固定される。歯形模型４を固定する際には、例えば、固定用プレート６の上面に接着剤４２（図４参照）を塗布し、塗布した接着剤４２の上に歯形模型４を載置して軽く押し付けるようにして固定する。このとき、塗布した接着剤４２の一部が複数の流入凹部４０に流入するようにすることが重要であり、このように流入させることにより、固まった接着剤４２により接着剤凸部４４（図４参照）が形成される。
【００３０】
この固定用プレート６は、第１及び第２ダウエルピン９，１１を対応する第１及び第２挿入孔２１，２２に着脱自在に挿入することにより、支持基台本体１２の上壁１６の上面（即ち、支持領域１８）に着脱自在に支持される。この支持状態においては、図４に示すように、固定用プレート６（プレート本体３４）側の片側係合凹条３６及び他側係合凹条３８と支持基台１０（支持基台本体１２）側の片側係合突条２６及びの他側係合突条２８とが相互に着脱自在に係合する。
【００３１】
次に、主として図４〜図６を参照して、上述した歯科技工用作業模型２の製造方法について説明する。この作業模型２を製作するには、歯型（図示せず）に石膏を流し込んで歯形模型４を製作し、また、合成樹脂による例えば射出成形によって支持基台１０を製造する。そして、図５に示すように、支持基台１０（支持基台本体１２）の第１挿入孔列１９の各第１挿入孔２１に第１ダウエルピン９を先端部側から着脱自在に挿入するとともに、その第２挿入孔列２０の各第２挿入孔２２に第２ダウエルピン１１を先端部側から着脱自在に挿入する（ダウエルピン挿入工程）。このように挿入すると、第１及び第２ダウエルピン９，１１の基端部は、支持基台１０の上面、即ち支持基台本体１２の上壁１６の上面から上方に所定長さ（例えば、約３〜４ｍｍ程度）突出する（図６参照）。
【００３２】
その後、図５及び図６に示すように、支持基台本体１２の上部に成型用基枠４６を着脱自在に装着する（基枠装着工程）。ここで、基枠装着工程で用いる成型用基枠４６について説明すると、成型用基枠４６は全体として略矩形状の外形を有し、例えばシリコンゴムや合成ゴムなどのゴム材料から形成されている。成型用基枠４６の内側には上下方向に貫通する貫通開口４７が設けられ、この貫通開口４７は、支持基台本体１２の上部の形状に対応した形状を有している。また、この成型用基枠４６の貫通開口４７の内周面には、固定用プレート６の複数の流入凹部４０に対応して、凹部形成用凸部４８が設けられている。凹部形成用凸部４８は、成型用基枠４６の上端部から高さ方向略中央部まで下方に直線状に延びている。
【００３３】
この成型用基枠４６を支持基台本体１２の上部に装着すると、図６に示すように、支持基台本体１２の上壁１６及び周側壁１４の上端部が成型用基枠４６の貫通開口４７の下端部に挿入され、成型用基枠４６の内周面が周側壁１４の外周面に密着するように取り付けられる。この取付状態においては、成型用基枠４６の下端部が支持基台本体１２の位置決め用突部３２に当接支持され、これにより、成型用基枠４６が支持基台本体１２に対して位置決めされる。
【００３４】
また、この装着状態では、成型用基枠４６は、支持基台本体１２の上壁１６の上面から上方に所定高さ（例えば、約７〜２０ｍｍ程度）だけ突出するようになり、支持基台本体１２の上面及び成型用基枠４２の内周面によって注入空間４９が規定される。また、この装着状態においては、成型用基枠４６の凹部形成用凸部４８の下端部は、支持基台１０の第１及び第２挿入孔２１，２２に挿入された第１及び第２ダウエルピン９，１１の基端部（上端部）よりも下方に位置しているが、支持基台１０の片側係合突条２６の上端部よりも上方に位置し、これら凹部形成用凸部４８と片側係合突条２６との間に、石膏が流入する空間が存在する。
【００３５】
その後、固定用プレート６を成型するための石膏５０を注入空間４９に注入する（プレート成形工程）。この石膏５０は、第１及び第２ダウエルピン９，１１の基端部が石膏５０に完全に浸漬されるまで注入される。このとき、支持基台本体１２の上壁１６の両端部には片側係合突条２６及び他側係合突条２８が設けられていないので、注入した石膏４８が上壁１６の両端部に流れるようになり、石膏５０を上壁１６の全域にほぼ均一に注入することができる。
【００３６】
注入空間４９内に注入した石膏５０が硬化することにより、複数の第１及び第２ダウエルピン９，１１が植設され、片側係合凹条３６（支持基台１０側の片側係合突条２６に対応する凹条）及び他側係合凹条３８（支持基台１０側の他側係合突条２８に対応する凹条）が形成され、更に複数の流入凹部４０が形成された固定用プレート６が成形される。
【００３７】
しかる後、成型用基枠４６を支持基台本体１２の上部から取り外し、固定用プレート６の上面に例えば研削加工を施して平坦となるように加工する（研削加工工程）。この研削加工は、固定用プレート６を支持基台本体１２の上面に装着させた状態で行われ、例えば第１及び第２ダウエルピン９，１１の基端面が外部に露出する、即ちラインＬ１に到達するまで研削される。
【００３８】
その後、研削加工を施した固定用プレート６（プレート本体３４）の上面に歯形模型４を接着剤を用いて固定し（歯形模型固定工程）、このようにして図１及び図２に示す通りの歯科技工用作業模型２を製作することができる。そして、この作業模型２を用いて歯科技工作業を行うときには、固定用プレート６を支持基台１０に支持させた状態で、作業模型２の切断側（即ち、片側係合突条２６の外側）から図１において一点鎖線５２で示すように歯形模型４の所定部位（即ち、隣接する一対の第１及び第２ダウエルピン９，１１の間の部位）を固定用プレート６とともに切断工具（図示せず）を用いて切断する（模型切断工程）。このとき、第１及び第２ダウエルピン９，１１に対応して流入凹部４０が設けられているので、これら流入凹部４０を目印として切断することにより、第１及び第２ダウエルピン９，１１を破損、損傷させることなく所要の通りに切断することができる。
【００３９】
このように固定用プレート６を切断することによって、支持基台１０側の片側係合突条２６及び他側係合突条２８も切断工具による切り込み５４が形成されるようになる。また、このように切断することによって、歯形模型４の切断した部位（即ち、模型切断部位）及び固定用プレート６の切断した部位（即ち、プレート切断部位）を第１及び第２ダウエルピン９，１１とともに残りの部位から取り出すことができ、このように模型切断部位、プレート切断部位並びに第１及び第２ダウエルピン９，１１を取り出すことによって、所望の歯科技工作業を行うことができる。
【００４０】
この歯科技工作業中に、プレート切断部位から模型切断部位が剥がれることがあり、この場合、プレート切断部位と模型切断部位を合わせて接着剤で固着するようになる。この第１の実施形態の歯科技工用作業模型２では、固定用プレート６のプレート本体３４の上面に第１及び第２ダウエルピン２１，２２に対応して流入凹部４０が設けられているので、歯形模型４を固着するときに塗布した接着剤４２の一部が複数の流入凹部４０に流入し、この接着剤４２が固まって接着剤凸部４４（図４参照）が形成される。従って、プレート切断部位に剥がれた模型切断部位を合わせると、模型切断部位側の接着剤凸部４４がプレート切断部位側の流入凹部４０に嵌まり込み、模型切断部位とプレート切断部位とを剥がれる前の状態にすることができ、この模型切断部位を接着剤で固着することによって、も度に状態にすることができる。
【００４１】
歯形模型４を固定用プレート６に固着するときには、比較的粘度の高い接着剤を塗布して固着するのが好ましく、剥がれた模型切断部位をプレート切断部位に固着するときには、残った模型切断部位との位置関係を保つために、比較的粘度の低い接着剤を薄く塗布して固着するのが望ましい。
【００４２】
〔第２の実施形態〕
次いで、図７及び図８を参照して、本発明に従う歯科技工用作業模型の第２の実施形態について説明する。図７及び図８においては、歯科技工用作業模型の歯形模型を省略して支持基台及び固定用プレートのみを示している。この第２の実施形態のおいては、図６及び図７と図３及び図４とを対比することによって理解される如く、片側係合突条及び他側係合突条に関連する構成に修正が施されている。尚、以下の実施形態において、第１の実施形態と実質上同一の部材には同一の参照番号を付し、その説明を省略する。
【００４３】
図６及び図７において、支持基台１０Ａ（支持基台本体１２Ａ）の片側側部に設けられた片側係合突条２６Ａの内側に片側傾斜突条６２が設けられ、この片側傾斜突条６２は、片側係合突条２６Ａのほぼ全長にわたって設けられている。また、この支持基台１０Ａの他側側部に設けられた他側係合突条２８Ａの内側に他側傾斜突条６４が設けられ、他側傾斜突条６４は、他側係合突条２８Ａのほぼ全長にわたって設けられている。
【００４４】
これら片側傾斜突部６２の傾斜角度θ１（図８）（上壁１６Ａの上面から上方への傾斜角度）及び他側傾斜突部６４の傾斜角度θ２（図８）（上壁１６Ａの上面から上方への傾斜角度）は、例えば３０〜７０度程度に設定される。
【００４５】
この第２実施形態では、片側傾斜突部６２には、その全長にわたって且つその長手方向に沿って（即ち、この片側傾斜突部６２に沿って）間隔をおいて複数の片側係合凹部６６が設けられ、これら片側係合凹部６６は、支持基台本体１２Ａの上壁１６の上面まで延びている。また、他側傾斜突部６４には、その全長にわたって且つその長手方向に沿って（即ち、この他側傾斜突部６４に沿って）間隔をおいて複数の他側係合凹部６８が設けられ、これら他側係合凹部６８は、片側係合凹部６６と同様に、支持基台本体１２Ａの上壁１６Ａの上面まで延びている。
【００４６】
この第２の実施形態の歯科技工用作業模型では、固定用プレート６Ａは、上述した第１の実施形態と同様に、この支持基台１０Ａの上端部に位置決め用突部３２に当接支持されるように、上述したと同様の成型用基枠（図５参照）を取り付け、この成型用基枠内に規定された注入空間に石膏を注入することにより形成される。
【００４７】
このようなことから、支持基台１０Ａの構成が上述した通りである場合、この支持基台１０Ａの上面に対応する固定用プレート６Ａの下面は、次の通りの構成となる。即ち、図８に示すように、支持基台１０Ａ（支持基台本体１２Ａ）の片側係合突条２６Ａに対応して固定用プレート６Ａ（プレート本体３４Ａ）の片側側部に片側係合凹条３６Ａが設けられ、その他側係合突条２８Ａに対応して固定用プレート６Ａの他側側部に他側係合凹条３８Ａが設けられる。
【００４８】
更に、支持基台１０Ａの片側傾斜突条６２に対応して、固定用プレート６Ａの片側側部に片側傾斜凹条７０が設けられるとともに、その他側傾斜突条６４に対応して、固定用プレート６Ａの他側側部に他側傾斜凹条７２が設けられる。更にまた、支持基台１０Ａの片側傾斜突条６２に設けられた複数の片側係合凹部６６に対応して、固定用プレートの片側傾斜凹条７０に複数の片側係合凸部７４が設けられるとともに、その他側傾斜突条６４に設けられた複数の他側係合凹部６８に対応して、固定用プレートＡの他側傾斜凹部７２に複数の他側係合突部７６が設けられる。
【００４９】
また、図５に示す成型用基枠を用いるので、この成型用基枠の凹部形成用凸部に対応して、固定用プレート６Ａのプレート本体３４Ａの一側部としての片側側部に、複数の第１及び第２ダウエルピン２１，２２に対応して流入凹部４０が設けられる。この第２の実施形態の歯科技工用作業模型のその他の構成は、上述した第１の実施形態と実質上同一である。
【００５０】
この第２の実施形態の歯科技工用作業模型にて、支持基台１０Ａ（支持基台本体１２Ａ）の上面（支持領域１８Ａ）に固定用プレート６Ａ（プレート本体３４Ａ）を支持する支持状態（第１ダウエルピン列７の複数の第１ダウエルピン９が第１挿入孔列１９の対応する第１挿入孔２１に挿入され、また第２ダウエルピン列８の複数の第２ダウエルピン１１が第２挿入孔列２０の対応する第２挿入孔２２に挿入されて支持された状態）においては、支持基台１０Ａ（支持基台本体１２Ａ）側の片側係合突条２６Ａ及び他側係合突条２８Ａと固定用プレート６Ａ（プレート本体３４Ａ）側の片側係合凹条２６Ａ及び他側係合凹条２８Ａとが相互に係合する。
【００５１】
また、支持基台１０Ａ側の片側傾斜突部６２及び他側傾斜突部６４と固定用プレートの片側傾斜凹条７０及び他側傾斜凹条７２とが相互に係合するとともに、支持基台１０Ａ側の複数の片側係合凹部６６及び他側係合凹部６８と固定用プレート６Ａ側の複数の片側係合凸部７４及び他側係合凸部７６とが相互に係合し、これにより、支持基台１０Ａと固定用プレート６Ａとの係合状態がよりガタ、回動などのない状態に保持することができる。
【００５２】
更に、第２の実施形態においても、固定用プレート６Ａのプレート本体３４Ａの上面に複数の第１及び第２ダウエルピン２１，２２に対応して流入凹部４０が設けられているので、上述したと同様に、歯形模型４を固着するときに塗布した接着剤の一部がこれら流入凹部４０に流入し、この接着剤が固まって接着剤凸部（図４参照）が形成される。従って、プレート切断部位から模型切断部位が剥がれたといても両者を合わせることにより、模型切断部位側の接着剤凸部がプレート切断部位側の流入凹部４０に嵌まり込み、模型切断部位とプレート切断部位とを剥がれる前の状態に位置付けることができ、この第２の実施形態の歯科技工用作業模型においても、第１の実施形態と同様の作用効果を達成することができる。
【００５３】
〔第３の実施形態〕
次いで、図９及び図１０を参照して、本発明に従う歯科技工用作業模型の第３の実施形態について説明する。図９及び図１０においても、歯科技工用作業模型の歯形模型を省略して支持基台及び固定用プレートのみを示している。この第３の実施形態のおいては、ダウエルピンが２列に配設されたダブルピンタイプであるが、全歯形の歯形模型を固定する全顎タイプのものに適用している。
【００５４】
図９及び図１０において、この第３の実施形態の歯科技工用作業模型における支持基台１０Ｂは、略Ｕ字状の支持基台本体１２Ｂを備え、この支持基台本体１２Ｂの上端部に上壁１６Ｂが設けられ、かかる上壁１６Ｂが略Ｕ字状の弧状に延び、この上壁１６Ｂの上面が支持領域１８Ｂとして機能し、この支持領域１８Ｂに固定用プレート６Ｂが支持される。この支持基台本体１２Ｂの内側には略半楕円状の接続部７２が設けられ、かかる接続部７２を介して支持基台本体１２Ｂの内側が接続されている。
【００５５】
この第３の実施形態の歯科技工用作業模型の支持基台１０Ｂにおいては、図９及び図１０と図３及び図４（第１の実施形態）とを対比することによって理解される如く、支持基台１０Ｂ（支持基台本体１２Ｂ）及びこれに関連する構成に修正が施されている。更に説明すると、支持基台１０Ｂの上壁１６Ｂ（支持領域１８Ｂ）が略Ｕ字状であることに関連して、一側部としての片側側部（外側側部）に設けられた片側係合突条２６Ｂ（内側係合突条）は略Ｕ字状の弧状に延び、またその他側側部（内側側部）に設けられた他側係合突条２８Ｂ（内側係合突条）も略Ｕ字状の弧状に延びている。
【００５６】
また、支持基台１０Ｂ（支持基台本体１２Ｂ）の支持領域１８Ｂには、第１及び第２挿入孔列１９Ｂ，２０Ｂが設けられ、第１挿入孔列１９Ｂの複数（この形態では、１４個）の第１挿入孔２１Ｂは、片側係合突条２６Ｃ（外側係合突条）の内側（支持基台１０Ｂの幅方向において内側）にこれに沿って設けられ、第２挿入孔列２０Ｂの複数（この形態では、１４個）の第２挿入孔２２Ｂは、第１挿入孔列１９Ｂの幅方向内側（換言すると、第１挿入孔列１９Ｂと他側係合突条２８Ｂとの間）に各第１挿入孔２１Ｂに対応して設けられている。
【００５７】
この実施形態においても、第１及び第２挿入孔列１９Ｂ，２０Ｂ（複数の第１及び第２挿入孔２１Ｂ，２２Ｂ）は、支持基台１０Ｂ（支持基台本体１２Ｂ）の上壁１６Ｂの上面、即ち支持領域１８Ｂの幅方向の中心線Ｐ１（図９及び図１０参照）よりも外側、即ち歯形模型を切断する際の切断側（この場合、片側係合突条２６Ｂ側）に配置され、このように配置することによって、切断の際の第１及び第２ダウエルピン列７Ｂ，８Ｂの複数の第１及び第２ダウエルピン９Ｂ，１１Ｂの破損、損傷を少なくしている。尚、第１ダウエルピン列７Ｂ（複数の第１ダウエルピン９Ｂ）をこの中心線Ｐ１よりも外側（片側係合突条２６Ｂ側）に配設し、第２ダウエルピン列８Ｂ（複数の第２ダウエルピン１１Ｂ）をこの中心線Ｐ１よりも内側（他側係合突条２８Ｂ側）に配設するようにしてもよい。
【００５８】
この第３の実施形態の歯科技工用作業模型では、固定用プレート６Ｂは、上述した第１の実施形態と同様に、この支持基台１０Ｂの上端部に成型用基枠（図５及び図６参照）を取り付け（その内側部は、接続部７２に当接支持され、その外側部は複数の位置決め用突部３２に当接支持される）、この成型用基枠内に規定された注入空間内に石膏を注入することにより形成される。
【００５９】
このようなことから、支持基台１０Ｂの構成が上述した通りである場合、この支持基台１０Ｂの上面に対応する固定用プレート６Ｂ（プレート本体３４Ｂ）の下面は、次の通りの構成となる。即ち、固定用プレート６Ｂは、支持基台１０Ｂ（支持基台本体１２Ｂ）の支持領域１８Ｂの形状に対応して略Ｕ字状に形成され、この支持領域１８Ｂに沿って第１及び第２ダウエルピン列７Ｂ，８Ｂの複数の第１及び第２ダウエルピン９Ｂ，１１Ｂが設けられる。
【００６０】
また、支持基台１０Ｂ（支持基台本体１２Ｂ）の片側側部（外側側部）の片側係合突条２６Ｂに対応して固定用プレート６Ｂ（プレート本体３４Ｂ）の片側側部（外側側部）に片側係合凹条２６Ｂが設けられ、その他側側部（内側側部）の他側係合突条２８Ｂに対応して固定用プレート６Ｂの他側側部（内側側部）に他側係合凹条３８Ｂが設けられ、第１ダウエルピン列７Ｂの複数の第１ダウエルピン９Ｂは、支持基台１０Ｂ側の第１挿入孔列１９Ｂの複数の第１挿入孔２１Ｂに対応して設けられ、第２ダウエルピン列８Ｂの複数の第２ダウエルピン１１Ｂは、支持基台１０Ｂ側の第２挿入孔列２０Ｂの複数の第２挿入孔２２Ｂに対応して設けられ、第１ダウエルピン列７Ｂの複数の第１ダウエルピン９Ｂと対となってその内側に配設される。
【００６１】
また、この固定用プレート６Ｂの一側部としての片側側部（外側側部）には、第１及び第２ダウエルピン列７Ｂ，８Ｂの複数の第１及び第２ダウエルピン９Ｂ，１１Ｂに対応して、流入凹部４０Ｂが設けられ、流入凹部４０Ｂは、プレート本体３４Ｂの片側側端（外側側端）から対応する第１ダウエルピン９Ｂ（第２ダウエルピン１１Ｂ）に向けて延びている。これらの流入凹部４０Ｂは、石膏流入させて固定用プレート６Ｂを形成する際に上述したと同様にして形成することができる。この第３の実施形態の歯科技工用作業模型のその他の構成は、上述した第１の実施形態と同様である。
【００６２】
この第３の実施形態の歯科技工用作業模型において、支持基台１０Ｂ（支持基台本体１２Ｂ）の上面（支持領域１８Ｂ）に固定用プレート６Ｂ（プレート本体３４Ｂ）を支持する支持状態（即ち、第１及び第２挿入孔列１９Ｂ，２０Ｂの複数の第１及び第２挿入孔２１Ｂ，２２Ｂに第１及び第２ダウエルピン列７Ｂ，８Ｂの複数の第１及び第２ダウエルピン９Ｂ，１１Ｂを挿入して支持した支持状態）では、支持基台１０Ｂ（支持基台本体１２Ｂ）側の片側係合突条２６Ｂ及び他側係合突条２８Ｂと固定用プレート６Ｂ（プレート本体３４Ｂ）側の片側係合凹条３６Ｂ及び他側係合凹条３８Ｂとが相互に係合し、これにより、全顎タイプの歯科技工用作業模型においても、支持基台１０Ｂと固定用プレート６Ｂとの係合状態をガタなどなく保持することができる。
【００６３】
また、固定用プレート６Ｂのプレート本体３４Ｂの上面に複数の第１及び第２ダウエルピン９Ｂ，１１Ｂに対応して流入凹部４０Ｂが設けられているので、上述したと同様に、歯形模型を固着するときに塗布した接着剤の一部がこれら流入凹部４０Ｂに流入し、この接着剤が固まって接着剤凸部（図４参照）が形成される。従って、プレート切断部位から模型切断部位が剥がれたといても両者を合わせることにより、模型切断部位側の接着剤凸部がプレート切断部位側の流入凹部４０Ｂに嵌まり込み、模型切断部位とプレート切断部位とを剥がれる前の状態に位置付けることができ、この第３の実施形態の歯科技工用作業模型においても、第１の実施形態と同様の作用効果を達成することができる。
【００６４】
〈第４の実施形態〉
次に、図１１及び図１２を参照して、本発明に従う歯科技工用作業模型の第４の実施形態について説明する。この第４の実施形態のおいては、ダウエルピンが１列に配設されたシングルピンタイプであって、全歯形の一部の歯形模型を固定する部分タイプのものに適用している。この第４の実施形態の歯科技工用作業模型においては、図１１と図１（第１の実施形態）を対比することによって理解される如く、支持基台側の挿入孔列及び固定用プレート側のダウエルピン列並びに接着剤が流入する流入凹部に修正が施されている。
【００６５】
図１１及び図１２において、図示の歯科技工用作業模型２Ｃは、部分タイプの歯形模型４が固定された固定用プレート６Ｃと、固定用プレート６Ｃに植設されたダウエルピン列７Ｃと、固定用プレート６Ｃを支持するための支持基台１０Ｃと、を備え、ダウエルピン列７Ｃは、複数（この具体例では、５本）のダウエルピン９Ｃから構成されている。また、支持基台１０Ｃは支持基台本体１２Ｃを備え、この支持基台本体１２Ｃは、横方向に長く延びており、この横長に延びる上壁１６Ｃを有し、この上壁１６Ｃの上面が固定用プレート６Ｃを支持するための支持領域１８Ｃとして機能する。
【００６６】
この支持基台本体１２Ｃの支持領域１８Ｃには、固定用プレート６Ｂ側のダウエルピン列７Ｃに対応して挿入孔列１９Ｃが設けられている。挿入孔列１９Ｃは、支持基台１０Ｃの長手方向に沿って間隔を置いて配設された複数（この形態では、５個）の挿入孔２１Ｃから構成され、これら挿入孔２１Ｃに固定用プレート６Ｃ側の対応するダウエルピン９Ｃが挿入される。挿入孔列１９Ｃ（複数の挿入孔２１Ｃ）は、図１２に示すように、支持領域１８Ｃの幅方向の中心線Ｐ１よりも片側側部側、即ち歯形模型４を切断する際の切断側（この場合、片側係合突条２６Ｃ側）に配置され、このように配置することによって、切断の際のダウエルピン列７Ｃの複数のダウエルピン９Ｃの破損、損傷を少なくしている。
【００６７】
この第４の実施形態における固定用プレート６Ｃは、支持基台１０Ｃの支持領域１８Ｃに支持されるプレート本体３４Ｃを備えている。このプレート本体３４Ｃの下面（即ち、ダウエルピン９Ｃが突出する側の面）における片側側部には、支持基台１０Ｃ側の片側係合突条２６Ｃに対応して片側係合凹条３６Ｃが設けられ、またその他側側部には、支持基台１０Ｃ側の他側係合突条２８Ｃに対応して他側係合凹条３８Ｃが設けられている。
【００６８】
また、この固定用プレート６（プレート本体３４）の上面には、ダウエルピン列７Ｃの複数のダウエルピン９Ｃに対応して複数の流入凹部４０Ｃが設けられている。
【００６９】
この実施形態では、複数の流入凹部４０Ｃは、固定用プレート６Ｃ（プレート本体３４Ｃ）の一側部としての他側側部（他側係合凹部３８Ｃが設けられた側）に設けられ、その他側端から対応するダウエルピン１９Ｃの基端部に向けて直線状に延びている。これら流入凹部４０Ｃは、後の説明から理解される如く、固定用プレート６Ｃに接着剤を用いて歯形模型４を固着した際に、かかる接着剤の一部が流入凹部４０Ｃに流入るように構成される。この場合、複数の流入凹部４０Ｃは、作業模型２Ｃを切断する切断側とは反対側のプレート本体３４Ｃの他側部に設けられているが、歯形模型４を接着剤を用いて固定する際には、これら流入凹部４０Ｃを見ながら固定用プレート６Ｃに固定するようになる。この第４の実施形態の歯科技工用作業模型のその他の構成は、上述した第１の実施形態のものと同様である。
【００７０】
この第４の実施形態においても、固定用プレート６Ｃのプレート本体３４Ｃの上面に複数のダウエルピン９Ｃに対応して流入凹部４０Ｃが設けられているので、上述したと同様に、歯形模型４を固着する際に塗布した接着剤４２の一部がこれら流入凹部４０Ｃに流入し、この接着剤４２が固まって接着剤凸部４４が形成される。従って、プレート切断部位から模型切断部位が剥がれたといても両者を合わせることにより、模型切断部位側の接着剤凸部４４がプレート切断部位側の流入凹部４０Ｃに嵌まり込み、模型切断部位とプレート切断部位とを剥がれる前の状態に位置付けることができ、このようにプレート本体３４Ｃにおける切断側とは反対側の一側部に複数の流入凹部４０Ｃを設けても上述したと同様の作用効果を達成することができる。
【００７１】
〔第５の実施形態〕
次に、図１３及び図１４を参照して、本発明に従う歯科技工用作業模型の第５の実施形態について説明する。この第５の実施形態のおいては、ダウエルピンが１列に配設されたシングルピンタイプであるが、全歯形の歯形模型を固定する全顎タイプのものに適用している。この第５の実施形態の歯科技工用作業模型においては、図１３と図９（第３の実施形態）を対比することによって理解される如く、支持基台側の挿入孔列及び固定用プレート側のダウエルピン列並びに接着剤が流入する流入凹部に修正が施されている。
【００７２】
図１３及び図１４において、図示の歯科技工用作業模型は、全額タイプの歯形模型（図示せず）が固定された固定用プレート６Ｄと、固定用プレート６Ｄに植設されたダウエルピン列７Ｄと、固定用プレート６Ｄを支持するための支持基台１０Ｄと、を備え、ダウエルピン列７Ｄは、複数（この具体例では、１４本）のダウエルピン９Ｄから構成されている。また、支持基台１０Ｄは支持基台本体１２Ｄを備え、この支持基台本体１２Ｄは、略Ｕ字状に延びており、このＵ字状に延びる上壁１６Ｄの上面が固定用プレート６Ｃを支持するための支持領域１８Ｄとして機能する。この上壁１６Ｄには、固定用プレート６Ｄ側のダウエルピン列７Ｄに対応して挿入孔列１９Ｄが設けられ、この挿入孔列１９Ｄは、支持領域１８Ｄに沿って間隔をおいて配設された複数の挿入孔２１Ｄから構成されている。
【００７３】
この第５の実施形態における固定用プレート６Ｄは、支持基台１０Ｄの支持領域１８Ｄに支持されるプレート本体３４Ｄを備え、このプレート本体３４Ｄは略Ｕ字状に延びている。このプレート本体３４Ｄの下面（即ち、ダウエルピン９Ｄが突出する側の面）における片側側部には、支持基台１０Ｄ側の片側係合突条２６Ｄに対応して片側係合凹条３６Ｄが設けられ、またその他側側部には、支持基台１０Ｄ側の他側係合突条２８Ｄに対応して他側係合凹条３８Ｄが設けられている。
【００７４】
また、この固定用プレート６Ｄ（プレート本体３４Ｄ）の上面には、ダウエルピン列７Ｄの複数のダウエルピン９Ｄに対応して複数の流入凹部４０Ｄが設けられている。この実施形態では、複数の流入凹部４０Ｄは、固定用プレート６Ｄ（プレート本体３４Ｄ）の一側部としての片側側部（片側係合凹部３６Ｄが設けられた側）に設けられた外側流入凹部７２と、その他側部としての他側側部（他側係合凹条３８Ｄが設けられた側）に設けられた内側流入凹部７４とから構成されている。外側流入凹部７２及び内側流入凹部７４は、対応するダウエルピン９Ｄの基端部に向けて直線状に延び、この実施形態では、内側流入凹部７４が外側流入凹部７２よりも長く延びている。
【００７５】
これら流入凹部４０Ｄ（外側流入凹部７２及び内側流入凹部７４）は、上述した記載から理解されるように、固定用プレート６Ｄに接着剤を用いて歯形模型を固着した際に、かかる接着剤の一部が流入凹部４０Ｄ（外側流入凹部７２及び内側流入凹部７４）に流入るように構成される。この場合、歯形模型を接着剤を用いて固定する際には、これら流入凹部４０Ｃ（外側流入凹部７２及び／又は内側流入凹部７４）を見ながら固定用プレート６Ｄに固定するようになる。この第５の実施形態の歯科技工用作業模型のその他の構成は、上述した第３の実施形態のものと同様である。
【００７６】
この第５の実施形態においても、固定用プレート６Ｄのプレート本体３４Ｄの上面に複数のダウエルピン９Ｄに対応して流入凹部４０Ｄ（外側流入凹部７２及び内側流入凹部７４）が設けられているので、上述したと同様に、歯形模型を固着する際に塗布した接着剤の一部がこれら流入凹部４０Ｄに流入し、外側流入凹部７２に流入した接着剤が固まって外側接着剤凸部が形成されるとともに、内側流入凹部７４に流入した接着剤が固まって内側接着剤凸部が形成される。従って、プレート切断部位から模型切断部位が剥がれたといても両者を合わせることにより、模型切断部位側の外側接着剤凸部４４及び内側接着剤凸部（図示せず）がプレート切断部位側の外側流入凹部７２及び内側流入凹部７４に嵌まり込み、模型切断部位とプレート切断部位とを剥がれる前の状態により正確に位置付けることができ、このように構成することによっても上述したと同様の作用効果を達成することができる。
【００７７】
〔第６の実施形態〕
次に、図１５を参照して、本発明に従う歯科技工用作業模型の第６の実施形態について説明する。この第５の実施形態のおいては、ダウエルピンが１列に配設されたシングルピンタイプであり、全歯形の歯形模型を固定する全顎タイプのものであるが、流入凹部に更に修正が施されている。
【００７８】
この第６の実施形態では、固定用プレート６Ｅ（プレート本体３４Ｅ）の上面には、ダウエルピン列７Ｅの複数のダウエルピン９Ｅに対応して複数の流入凹部４０Ｅが設けられている。複数の流入凹部４０Ｅは、固定用プレート６Ｅ（プレート本体３４Ｅ）の一側部としての他側側部（支持基台１０Ｅの他側係合突条２８Ｅと係合する他側係合凹状３８Ｅが設けられた側）に設けられている。これら流入凹部４０Ｅは、固定用プレート６Ｅ（プレート本体３４Ｅ）の他側端（一側端）から延びるではなく、この他側端の幾分内側から対応するダウエルピン９Ｅに向けて延びている。
【００７９】
このように構成した場合においても、歯形模型を固定する際に、塗布した接着剤の一部がこれら流入凹部４０Ｅに流入し、流入した接着剤が固まって接着剤凸部が形成され、このように構成しても上述したと同様の作用効果を達成することができる。
【００８０】
以上、本発明に従う歯科技工用作業模型の各種実施形態について説明したが、本発明はかかる実施形態に限定されるものではなく、本発明の範囲を逸脱することなく種々の変更乃至修正が可能である。
【００８１】
例えば、上述した実施形態では、固定用プレートに設けられる流入凹部を種々の形態のものに適用したが、ダブルピンタイプ、シングルピンタイプ、全顎タイプ及び部分タイプなどのタイプを選ぶことなく、これらのタイプのものに広く適用することができる。
【００８２】
また、例えば、上述した実施形態では、固定用プレートの一側部としての片側側部又は他側側部、或いは片側側部及び他側側部に、接着剤が流入する流入凹部を設けているが、かかる流入凹部は固定用プレートの少なくとも一側部に設けるのみで所望の効果を得ることができる。
【００８３】
更に、例えば、上述した実施形態では、固定用プレートを形成する際に用いる成型用基枠に凹部形成用凸部を設け、かかる凹部形成用凸部まで石膏を流入させて流入凹部を生成しているが、固定用プレートが硬化した後に例えば工具などを用いてその上面を切削し、切削によって流入凹部を形成するようにしてもよく、かかる流入凹部の形成方法については特に限定されず、種々の方法により形成することができる。
【符号の説明】
【００８４】
２，２Ｃ  歯科技工用作業模型
４  歯形模型
６，６Ａ，６Ｂ，６Ｃ，６Ｄ，６Ｅ  固定用プレート
７，７Ｂ，７Ｃ，７Ｄ，７Ｅ、８，８Ｂ  ダウエルピン列
９，９Ｂ，９Ｃ，９Ｄ，９Ｅ，１０，１０Ｂ  ダウエルピン
１０，１０Ａ，１０Ｂ，１０Ｃ，１０Ｄ，１０Ｅ  支持基台
１９，１９Ｂ，１９Ｃ，１９Ｄ，１９Ｅ、２０，２０Ｂ  挿入孔列
２１，２１Ｂ，２１Ｃ，２１Ｄ，２１Ｅ，２２，２２Ｂ  挿入孔
３４，３４Ａ，３４Ｂ，３４Ｃ，３４Ｄ，３４Ｅ  プレート本体
４０，４０Ｂ，４０Ｃ，４０Ｄ，４０Ｅ  流入凹部
７２  外側流入凹部
７４  内側流入凹部
【図１】
2020018422.tif 000003
【図２】
2020018422.tif 000004
【図３】
2020018422.tif 000005
【図４】
2020018422.tif 000006
【図５】
2020018422.tif 000007
【図６】
2020018422.tif 000008
【図７】
2020018422.tif 000009
【図８】
2020018422.tif 000010
【図９】
2020018422.tif 000011
【図１０】
2020018422.tif 000012
【図１１】
2020018422.tif 000013
【図１２】
2020018422.tif 000014
【図１３】
2020018422.tif 000015
【図１４】
2020018422.tif 000016
【図１５】
2020018422.tif 000017